【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
輝度プロセッサであって、第１ピーク明度（ＰＢ＿ＨＤＲ）により特徴付けられる第１輝度ダイナミックレンジを有する入力画像（ＭＡＳＴ＿ＨＤＲ）の空間的に配置されたピクセルの入力輝度（L）から、第２ピーク明度（ＰＢ＿ＬＤＲ；ＰＢ＿ＭＤＲ）により特徴付けられる第２輝度ダイナミックレンジを有する出力画像（Ｉｍ＿ＬＤＲ；Ｉｍ３０００ニト）のピクセルの出力輝度を計算するよう構成され、前記輝度プロセッサは、
前記入力輝度の輝度マッピング関数（ＦＬＭ）の出力を該入力輝度により除算した分割として乗算係数（ｇＬ）を計算することにより：ｇＬ＝ＦＬＭ（Ｌ）／Ｌ、前記乗算係数を計算するよう構成される利得計算ユニットであって、前記乗算係数は、対応する中間出力輝度になるように前記入力輝度をどのように調整するかを示す前記輝度マッピング関数に基づき、前記入力画像の画像ピクセルのいかなる入力色の前記入力輝度について定められる、利得計算ユニットと、
前記中間出力輝度が前記入力色の色度において全範囲上限境界のどれだけ上であるかを示すオーバーフロー指標（Ｔ）を計算するよう構成されるオーバーフロー計算機であって、前記中間出力輝度は、前記乗算係数（ｇＬ）を前記入力色を定めるそれぞれの色成分に適用することにより得られる、オーバーフロー計算機と、
前記オーバーフロー指標が閾（Ｇ）より大きい場合に、より低い代替利得係数（Ｆｌ（ｇＬ））を決定するよう構成され、その他の場合に、前記乗算係数（ｇＬ）を保つよう構成され、前記オーバーフロー指標が前記閾（Ｇ）より大きい場合により低い代替利得係数（Ｆ１（ｇＬ））を又はその亜他の場合に前記乗算係数（ｇＬ）を最終利得係数（ｇＦ）として出力するよう構成される利得係数変更ユニットと、
前記入力色（Ｒ’Ｇ’Ｂ’＿ｎｒｍ）のそれぞれの成分を前記最終利得係数（ｇＦ）により乗算して、前記出力輝度を有する出力色（Ｒ’Ｇ’Ｂ’＿ＨＤＲ）のそれぞれの成分を取得する乗算器と、
を含む輝度プロセッサ。
【請求項２】
コンテンツの生成側からネットワークを介して前記閾（Ｇ）を受信するよう構成されるデータ受信手段、を含む請求項１に記載の輝度プロセッサ。
【請求項３】
コンテンツの生成側からネットワークを介して、前記代替利得係数を決定するための関数（ＦＡＤＡＰ）を受信するよう構成されるデータ受信手段、を含む請求項１又は２に記載の輝度プロセッサ。
【請求項４】
コンテンツの生成側からネットワークを介して、クリッピングパラメータ（Vmx）を受信するよう構成されるデータ受信手段を含み、前記クリッピングパラメータは、色が全範囲上限境界のどれだけ上であるかを示し、前記クリッピングパラメータは前記色の赤、緑、及び青色成分のうちの最大のものとして定められ、該クリッピングパラメータより上にある色輝度について、色調保存色クリッピングが可能であることを指定する、請求項１乃至３のいずれかいっこうに記載の輝度プロセッサ。
【請求項５】
部分マッピング計算機であって、実現可能な全範囲内の色に到達する必要のある、前記全範囲境界に向かう前記入力色の補正の第１小部分を決定するよう構成され、前記補正の第１小部分は、最終的な乗算係数（ｇＦ）による乗算により処理され、彩度計算を駆動する彩度乗数（S）を決定する補正の残りの第２小部分を決定するよう構成される、部分マッピング計算機、を含む請求項１乃至４のいずれか一項に記載の輝度プロセッサ。
【請求項６】
コンテンツの生成側からネットワークを介して、補正の前記第１及び第２小部分を決定する小部分値（ｒｈｏ）を受信するよう構成されるデータ受信手段、を含む請求項５に記載の輝度プロセッサ。
【請求項７】
前記オーバーフロー指標（Ｔ）は、前記乗算係数（ｇＬ）により乗算されたピクセル色の赤、緑、及び青色成分のうちの最高値として計算される、請求項１乃至６のいずれか一項に記載の輝度プロセッサ。
【請求項８】
高ダイナミックレンジビデオエンコーダであって、
画像ソースから入力画像を受信する入力と、
前記入力画像を出力画像として符号化し、少なくとも１つの輝度マッピング関数（F_Lt）を符号化するよう構成されるエンコーダと、
を含み、
前記エンコーダは、前記ビデオの画像の色特性を分析して、請求項１に記載の輝度プロセッサにより適用されるべき閾（Ｇ）を決定するよう構成される画像評価プロセッサを含み、前記エンコーダは、該閾（Ｇ）をメタデータとして出力するよう構成される、高ダイナミックレンジビデオエンコーダ。
【請求項９】
高ダイナミックレンジビデオ符号化システムであって、
人間の色クレーダーが請求項１に記載の前記閾（Ｇ）の値を指定することを可能にするユーザインタフェースと、
請求項１に記載の輝度プロセッサであって、前記人間の色グレーダにより指定された前記閾（Ｇ）の値を受信し及びい使用するよう更に構成され、前記輝度プロセッサの前記出力画像を表示するためにディスプレイに接続される、輝度プロセッサと、
を含み、前記高ダイナミックレンジビデオ符号化システムは、前記閾（Ｇ）を符号化し及び出力するよう構成されるエンコーダを更に含む、高ダイナミックレンジビデオ符号化システム。
【請求項１０】
高ダイナミックレンジビデオデコーダであって、
入力画像及び輝度マッピング関数（ＦＬＭ）を受信する入力と、
閾（Ｇ）の値を受信するよう構成される第２入力と、
請求項１乃至７のいずれか一項に記載の輝度プロセッサであって、前記輝度マッピング関数（ＦＬＭ）及び前記閾（Ｇ）を用いて出力画像を計算し、前記入力画像の輝度を変更して出力画像を生成するよう構成される、輝度プロセッサと、
前記出力画像を出力する出力と、
を含む高ダイナミックレンジビデオデコーダ。
【請求項１１】
輝度処理方法であって、第１ピーク明度（ＰＢ＿ＨＤＲ）により特徴付けられる第１輝度ダイナミックレンジを有する入力画像（ＭＡＳＴ＿ＨＤＲ）の空間的に配置されたピクセルの入力輝度から、第２ピーク明度（ＰＢ＿ＬＤＲ；ＰＢ＿ＭＤＲ）により特徴付けられる第２輝度ダイナミックレンジを有する出力画像（Ｉｍ＿ＬＤＲ；Ｉｍ３０００ニト）のピクセルの出力輝度を計算し、前記方法は、
前記入力輝度の輝度マッピング関数（ＦＬＭ）の出力を該入力輝度により除算した分割として乗算係数（ｇＬ）を計算することにより：ｇＬ＝ＦＬＭ（Ｌ）／Ｌ、前記乗算係数を計算するステップであって、前記乗算係数は、中間出力輝度になるように前記入力輝度をどのように調整するかを示す前記輝度マッピング関数に基づき、前記入力画像の画像ピクセルのいかなる入力色の前記入力輝度について定められる、ステップと、
前記中間出力輝度が前記入力色の色度において全範囲上限境界のどれだけ上であるかを示すオーバーフロー指標（Ｔ）を計算するステップであって、前記中間出力輝度は、前記乗算係数（ｇＬ）を前記入力色を定めるそれぞれの色成分に適用することにより得られる、ステップと、
前記オーバーフロー指標が閾（Ｇ）より大きい場合に、より低い代替利得係数（Ｆｌ（ｇＬ））を決定し、その他の場合に、前記乗算係数（ｇＬ）を保ち、前記オーバーフロー指標が前記閾（Ｇ）より大きい場合により低い代替利得係数（Ｆ１（ｇＬ））をその他の場合に前記乗算係数（ｇＬ）を最終利得係数（ｇＦ）として出力するステップと、
前記入力色（Ｒ’Ｇ’Ｂ’＿ｎｒｍ）のそれぞれの成分を前記最終利得係数（ｇＦ）により乗算して、前記出力輝度を有する出力色（Ｒ’Ｇ’Ｂ’＿ＨＤＲ）のそれぞれの成分を取得するステップと、
を含む輝度処理方法。
【請求項１２】
コンテンツの生成側からいかなる接続されたネットワークを介して、前記出力色にの計算に適用すべき前記閾（Ｇ）を受信するステップ、を含む請求項１１に記載の輝度処理方法。
【請求項１３】
コンテンツの生成側からいかなる接続されたネットワークを介して、前記代替利得係数を決定するための関数（ＦＡＤＡＰ）を受信するステップ、を含む請求項１１又は１２に記載の輝度処理方法。